(57)【要約】      （修正有）【課題】高周波信号を伝送することができるとともに、端子へのはんだ付けを容易にするプラグコネクターを提供する。【解決手段】プラグコネクターは、絶縁ハウジング１０、複数の第１端子２０、複数の第２端子３０および位置決めブラケット４０を有する。第１端子および第２端子は、絶縁ハウジングに取り付けられ、各端子ははんだ付け部２５，３５を有する。位置決めブラケットは、絶縁ハウジングに取り付けられ、２つの基準位置ではんだ付け部をそれぞれ保持する上面および底面を備える位置決め突出部４８を有する。はんだ付け部は、ワイヤーのはんだ付けを容易にするために２つの基準位置に配置されている。【選択図】図３
0003151310.tif 000002
【実用新案登録請求の範囲】
【請求項１】
上部、底部、前部、後部および２つの相対する側部を有する絶縁ハウジングと、
前記絶縁ハウジングに取り付けられた複数の第１端子と、
前記絶縁ハウジングに取り付けられた複数の第２端子と、
前記絶縁ハウジングの後部に取り付けられ、上端部、底部、前端部、後端部、２つの相対する側部および前記後端部に形成され、該後端部から後方へ突出する位置決め突出部を有する位置決めブラケットと、
前記絶縁ハウジングおよび前記位置決めブラケットを覆う金属殻組立体とを含み、
各第１端子は、前記絶縁ハウジングに取り付けられた取付部と、該取付部に形成され、前記取付部から突出する接触部と、該接触部に相対する前記取付部に形成され、前記接触部に相対する前記取付部から垂直に突出する湾曲部と、該湾曲部に形成され、前記湾曲部から後方へ垂直に突出するはんだ付け部であって、前記絶縁ハウジングに対して水平であり、前記絶縁ハウジングに対して第１の基準位置に配置され、相互に同一平面上にあるはんだ付け部とを有し、
各第２端子は、前記絶縁ハウジングに取り付けられた取付部と、該取付部に形成され、前記取付部から突出する弾性部と、該弾性部に形成され、前記弾性部から前方へ突出する接触部と、前記取付部に接続され、前記絶縁ハウジングに対して第２の基準位置に配置され、相互に同一平面上にあるはんだ付け部とを有し、
前記位置決め突出部は、前記第２端子の前記はんだ付け部を保持する上面と、前記第１端子の前記はんだ付け部を保持する底面とを有する、プラグコネクター。
【請求項２】
前記第２端子は、奇数で、中央の端子を除いた各端子は、さらに前記中央の端子から離れた前記取付部に形成され、前記中央の端子から離れた前記取付部から後方へ斜めに、かつ水平に突出する傾斜部を有し、
前記中央の端子を除いた各端子の前記はんだ付け部は、前記傾斜部に形成され、前記傾斜部から後方へ突出し、
全ての前記傾斜部は扇形の形状に配置されている、請求項１に記載のプラグコネクター。
【請求項３】
前記絶縁ハウジングは、さらに前記後部に形成された凹凸の係合部を有し、
前記位置決めブラケットは、さらに前記前端部に形成され、前記絶縁ハウジングの前記凹凸の係合部と係合する凹凸の係合部を有し、
前記絶縁ハウジングの前記凹凸の係合部と前記位置決めブラケットの前記凹凸の係合部との間の境目はジグザグ状である、請求項２に記載のプラグコネクター。
【請求項４】
前記絶縁ハウジングの凹凸の係合部は、複数の係合凸部および複数の係合凹部を有し、
前記位置決めブラケットの凹凸の係合部は、前記絶縁ハウジングの係合凹部にそれぞれ係合した複数の係合凸部と、前記絶縁ハウジングの係合凸部にそれぞれ係合した複数の係合凹部とを有する、請求項３に記載のプラグコネクター。
【請求項５】
前記絶縁ハウジングは、さらに、前記後部に形成された複数の第１の取付穴と、前記前部に近接した上部に形成された凹部と、該凹部に形成された複数の取付溝と、前記後部に形成され、前記取付溝にそれぞれ連通する複数の第２の取付穴と、前記前部に形成され、前記第１の取付穴に連通する第１のソケット穴とを有し、
各第１端子の前記取付部は、前記第１の取付穴に取り付けられ、各第１端子の前記接触部は、前記第１のソケット穴に取り付けられ、
各第２端子の前記取付部は、前記第２の取付穴に取り付けられ、各第２端子の弾性部および接触部は、前記取付溝に取り付けられている、請求項４に記載のプラグコネクター。
【請求項６】
前記位置決め突出部は、さらに、前記底面に形成され、前記第１の基準位置で前記第１端子の前記はんだ付け部をそれぞれ保持する複数の第１の位置決めスロットと、前記上面に形成され、前記第２の基準位置で前記第２端子の前記はんだ付け部をそれぞれ保持する複数の第２の位置決めスロットとを有する、請求項５に記載のプラグコネクター。
【請求項７】
前記位置決めブラケットは、さらに、内部に形成され、前記第１の位置決めスロットにそれぞれ連通し、前記第１端子の前記はんだ付け部をそれぞれ保持する複数の第１の締結穴と、内部に形成され、前記第２の位置決めスロットにそれぞれ連通し、前記第２端子の前記はんだ付け部をそれぞれ保持する複数の第２の締結穴とを有する、請求項６に記載のプラグコネクター。
【請求項８】
金属殻組立体は、前記絶縁ハウジングおよび前記位置決めブラケットを覆い、第２のソケット穴を形成するために凹部と連携し、２つの相対する側面板を有する前部金属殻と、前記絶縁ハウジングおよび前記位置決めブラケットを覆い、前記前部金属殻と係合し、２つの相対する側面板を有する後部金属殻とを有する、請求項７に記載のプラグコネクター。
【請求項９】
前記前部金属殻の各側面板は、バックル穴を有し、
前記後部金属殻の各側面板は、前記バックル穴と係合したバックルタブを有する、請求項８に記載のプラグコネクター。
【請求項１０】
前記第１端子は、ＵＳＢ２．０伝送プロトコルに適合している、請求項９に記載のプラグコネクター。
【請求項１１】
前記第２端子は、ＵＳＢ３．０伝送プロトコルに適合している、請求項１０に記載のプラグコネクター。
【考案の詳細な説明】
【技術分野】
【０００１】
本考案は、コネクタ−に関し、特に高周波信号を伝送することができるとともに、端子へのはんだ付けを容易にするプラグコネクターに関する。
【背景技術】
【０００２】
従来のユニバーサルシリアルバス（ＵＳＢ）２．０コネクターは、様々な電気機器に使用されている。しかし、ＵＳＢ２．０伝送プロトコルは、４８０Ｍｂｐｓの最大伝送速度しか許さない。電気機器は、転送速度を増加させるために絶えず開発されており、ＵＳＢ２．０伝送プロトコルは、これらの電気機器の最新の伝送速度の要求に合わなくなっている。そのため、ＵＳＢＩＦ（USB Implementers Forum）が定めたＵＳＢ３．０伝送プロトコルは、ＵＳＢ２．０伝送プロトコルのほぼ１０倍の４．８Ｇｂｐｓの理論上の伝送速度を実現する。
【０００３】
しかし、４．８Ｇｂｐｓの伝送を実行するためには、ＵＳＢ３．０コネクタの端子は、高周波信号を伝送することができなければならない。高周波信号を伝送することは、付近の電気機器からの電磁雑音に常に直面し、そのため、ＵＳＢ３．０コネクターのインピーダンスは、交互に不安定になり、信号伝送を減らす。
【０００４】
ＵＳＢコネクターに適合するために、ＵＳＢ３．０コネクターは、端子の列を有さなければならない。端子にケーブルのワイヤーがはんだ付けされるとき、列ははんだ付け工程を難しくするようにお互いに干渉する。さらに、ＵＳＢ３．０コネクターは、絶縁ハウジングと、熱溶融性接着剤を境目に塗布することにより絶縁ハウジングに取付られた位置決めブラケットとを有する。しかし、絶縁ハウジングと位置決めブラケットとの間の対になる境目は、平坦であるため、熱溶融性接着剤が端子の特性に不都合なほど影響を与えるように絶縁ハウジングおよび位置決めブラケットの端子穴に容易に流れ込み、送信効率を減少させる。
【考案の概要】
【考案が解決しようとする課題】
【０００５】
本考案は、前記の問題点を改善するプラグコネクターを提供する。
【０００６】
本考案の目的は、高周波信号を伝送することができるとともに、端子へのはんだ付けを容易にするプラグコネクターを提供する。
【０００７】
本考案に係るプラグコネクターは、絶縁ハウジング、複数の第１端子、複数の第２端子および位置決めブラケットを有する。前記第１端子および前記第２端子は、前記絶縁ハウジングに取り付けられ、各端子ははんだ付け部を有する。前記位置決めブラケットは、前記絶縁ハウジングに取り付けられ、２つの基準位置のはんだ付け部をそれぞれ保持する上面および底面を備える位置決め突出部を有する。前記はんだ付け部は、ワイヤーのはんだ付けを容易にするために２つの基準位置に配置されている。
【図面の簡単な説明】
【０００８】
【図１】本考案に係るプラグコネクターの斜視図。
【図２】本考案に係るプラグコネクターの正面図。
【図３】本考案に係るプラグコネクターの分解正面斜視図。
【図４】本考案に係るプラグコネクターの分解背面斜視図。
【図５】金属殻組立体を含まない、本考案に係るプラグコネクターの背面斜視図。
【図６】金属殻組立体を含まない、本考案に係るプラグコネクターの底面斜視図。
【図７】本考案に係るプラグコネクターの絶縁ハウジングおよび位置決めブラケットの分解背面斜視図。
【図８】本考案に係るプラグコネクターの絶縁ハウジングおよび位置決めブラケットの分解正面斜視図。
【図９】金属殻組立体を含まない、本考案に係るプラグコネクターの部分断面側面図。
【図１０】金属殻組立体を含まない、本考案に係るプラグコネクターの別の部分断面側面図。
【図１１】本考案に係るプラグコネクターの第１端子の分解斜視図。
【図１２】本考案に係るプラグコネクターの第２端子の上面図。
【考案を実施するための形態】
【０００９】
図１ないし図４を参照するに、本考案に係るプラグコネクターは、ＵＳＢ３．０および２．０伝送プロトコルに適合し、絶縁ハウジング（１０）、複数の第１端子（２０）、複数の第２端子（３０）、位置決めブラケット（４０）および金属殻組立部を含む。
【００１０】
図７ないし図１０を参照するに、絶縁ハウジング（１０）は、上部（１１）、底部（１４）、前部（１５）、後部（１６）および２つの相対する側部（１７）を有し、さらに複数の第１の取付穴（１００ａ）、凹部（１１１）、複数の取付溝（１３）、複数の第２の取付穴（１００ｂ）、第１のソケット穴（１２）および凹凸の係合部を有してもよい。
【００１１】
第１の取付穴（１００ａ）は後部（１６）に形成されている。
【００１２】
凹部（１１１）は、前部（１５）に近接した上部（１１）に形成されている。
【００１３】
取付溝（１３）は、凹部（１１１）に形成されている。
【００１４】
第２の取付穴（１００ｂ）は後部（１６）に形成され、それぞれ取付溝（１３）に連通している。
【００１５】
第１のソケット穴（１２）は前部（１５）に形成され、第１の取付穴（１００ａ）に連通し、内部上面および内部底面を有する。
【００１６】
凹凸の係合部は、後部（１６）に形成され、複数の係合凸部（１０２、１０５）および複数の係合凹部（１０１、１０３、１０４）を有してもよい。
【００１７】
図１１を参照するに、第１端子（２０）は、ＵＳＢ２．０伝送プロトコルに適合し、４つの第１端子（２０）であり、絶縁ハウジング（１０）に取り付けられ、それぞれ第１の取付穴（１００ａ）を経て取り付けられ、それぞれ第１の取付穴（１００ａ）に対応する。各第１端子（２０）は取付部（２１）、接触部（２２）、湾曲部（２４）およびはんだ付け部（２５）を有する。
【００１８】
取付部（２１）は絶縁ハウジング（１０）に取り付けられ、対応する第１の取付穴（１００ａ）に取り付けられてもよい。
【００１９】
接触部（２２）は、取付部（２１）に形成され、取付部（２１）から前方へ突出し、絶縁ハウジング（１０）の第１のソケット穴（１２）に取り付けられていてもよい。接触部（２２）は2組あり、1組は第１のソケット穴（１２）の内部上面に取り付けられ、他の1組は第１のソケット穴（１２）の内部底面に取り付けられている。接触部（２２）は対応するレセプタクルコネクターの端子に接触できる。
【００２０】
湾曲部（２４）は、接触部（２２）に相対する取付部（２１）に形成され、接触部（２２）に相対する取付部（２１）から上方または下方へ垂直に突出する。
【００２１】
はんだ付け部（２５）は湾曲部（２４）に形成され、湾曲部（２４）から後方へ垂直に突出し、絶縁ハウジング（１０）に対して実質的に水平である。全ての第１端子（２０）のはんだ付け部（２５）は、湾曲部（２４）により絶縁ハウジング（１０）に対して第１の基準位置に配置され、相互に同一平面上にある。
【００２２】
図１２を参照するに、第２端子（３０）は、ＵＳＢ３．０伝送プロトコルに適合し、奇数で、５つの第２端子（３０）として実施されてもよく、第２端子（３０）は絶縁ハウジング（１０）に取り付けられ、第２の取付穴（１００ｂ）および取付溝（１３）を経てそれぞれ取り付けられ、第２の取付穴（１００ｂ）および取付溝（１３）にそれぞれ対応している。各第２端子（３０）は、取付部（３１）、弾性部（３２）、接触部（３３）およびはんだ付け部（３５）を有する。
【００２３】
取付部（３１）は、絶縁ハウジング（１０）に取り付けられ、対応する第２の取付穴（１００ｂ）に取り付けられてもよい。
【００２４】
弾性部（３２）は取付部（３１）に形成され、取付部（３２）から前方へ突出し、対応する取付溝（１３）に取り付けられてもよい。
【００２５】
接触部（３３）は、弾性部（３２）に形成され、弾性部（３２）から前方へ突出し、対応する取付溝（１３）に取り付けられてもよい。接触部（３３）は、対応するレセプタクルコネクターの端子に接触してもよい。
【００２６】
はんだ付け部（３５）は取付部（３１）に接続されている。全ての第２端子（３０）のはんだ付け部（３５）は、絶縁ハウジング（１０）に対して第２の基準位置に配置され、相互に同一平面上にある。
【００２７】
第２端子が５つの端子で実施されたとき、第２端子（３０）の中央の１つを除く端子は、さらに傾斜部（３４）を有する。傾斜部（３４）は、取付部（３１）に形成され、第２端子（３０）の中央から離れるように取付部（３１）から後方へ斜めに、かつ水平に突出し、はんだ付け部（３５）が傾斜部（３４）に形成され、傾斜部（３４）から後方に突出するように、取付部（３１）からはんだ付け部（３５）まで接続されている。
傾斜部（３４）は、はんだ付けを容易にし、短絡の問題を防ぐために隣接する２つのはんだ付け部（３５）の間隔を増大させるように扇形の形状に配置されている。
【００２８】
図５および図６を参照するに、位置決めブラケット（４０）は、絶縁ハウジング（１０）の後部（１６）に取り付けられ、第１端子（２０）および第２端子（３０）を保持し、上端部（４１）、底部（４４）、前端部（４５）、後端部（４６）、２つの相対する側部（４７）および位置決め突出部（４８）を有し、さらに複数の第１の締結穴（４００ａ）、複数の第２の締結穴（４００ｂ）および凹凸の係合部を有してもよい。
【００２９】
位置決め突出部（４８）は後端部（４６）に形成され、後端部（４６）から後方へ突出し、上面および底面を有し、さらに複数の第１の位置決めスロット（４８２）および複数の第２の位置決めスロット（４８３）を有してもよい。前記上面は、第２端子（３０）のはんだ付け部（３５）を保持する。前記底面は、第１端子（２０）のはんだ付け部（２５）を保持する。第１の位置決めスロット（４８２）は、前記底面に形成され、前記第１の基準位置における第１端子（２０）のはんだ付け部（２５）をそれぞれ保持する。第２の位置決めスロット（４８３）は、前記上面に形成され、前記第２の基準位置における第２端子（３０）のはんだ付け部（３５）をそれぞれ保持する。隣接するはんだ付け部（２５、３５）を確保する第１の位置決めスロット（４８２）および第２の位置決めスロット（４８３）は、はんだ付け部（２５、３５）を短絡の原因となる不注意に端子同士をはんだ付けすることを防止するために間隔を保持している。
【００３０】
第１の締結穴（４００ａ）は、位置決めブラケット（４０）の内部に形成され、第１の位置決めスロット（４８２）にそれぞれ連通している。
【００３１】
第２の締結穴（４００ｂ）は、位置決めブラケット（４０）の内部に形成され、第２の位置決めスロット（４８３）にそれぞれ連通している。
【００３２】
凹凸の係合部は、前端部（４５）に形成され、図９に示すように、絶縁ハウジング（１０）の係合部と位置決めブラケット（４０）の係合部との間のジグザグ状の境目で絶縁ハウジング（１０）の凹凸の係合部と一体になって係合している。凹凸の係合部は、複数の係合凸部（４０１、４０３、４０４）および複数の係合凹部（４０２、４０５）を有する。係合凸部（４０１、４０３、４０４）は、絶縁ハウジング（１０）の係合凹部（１０１、１０３、１０４）とそれぞれ契合している。係合凹部（４０２、４０５）は、絶縁ハウジング（１０）の係合凸部（１０２、１０５）にそれぞれ係合している。熱溶融性接着剤が絶縁ハウジング（１０）と位置決めブラケット（４０）とを結合するために適用されたとき、絶縁ハウジング（１０）の係合部と位置決めブラケット（４０）の係合部との間のジグザグ状の境目は、熱溶融性接着剤の流路を作り、該熱溶融性接着剤が第１の取付穴（１００ａ）、第２の取付穴（１００ｂ）、第１の係合穴（４００ａ）および第２の係合穴（４００ｂ）に流れ込むことを防止する。
【００３３】
金属殻組立部は、絶縁ハウジング（１０）および位置決めブラケット（４０）を覆い、前部金属殻（５０）および後部金属殻（６０）を有する。
【００３４】
前部金属殻（５０）は、絶縁ハウジング（１０）および位置決めブラケット（４０）を覆い、第２のソケット穴を形成するために凹部（１１１）と連携し、２つの相対する側面板（５７）を有する。各側面板（５７）は、突出するバックル部（５７０）と、該バックル部に形成されたバックル穴（５７１）を有する。
【００３５】
後部金属殻（６０）は、絶縁ハウジング（１０）および位置決めブラケット（４０）を覆い、前部金属殻（６０）と係合し、２つの相対する側面板（６７）を有する。各側面板（６７）は前部金属殻（５０）のバックル穴（５７１）と係合するバックルタブ（６７１）を有する。
【００３６】
本考案のプラグコネクターは、次の長所を有する。
【００３７】
第１端子（２０）および第２端子（３０）の接触部（２２、３３）は、３つの基準位置に配置されている。しかし、はんだ付け部（２５、３３）は、位置決めブラケット（４８）の前記上面および前記底面でそれぞれ２つの基準位置に簡略化され、相互に同一平面上にある。ケーブルのワイヤーがはんだ付け部（２５、３５）にはんだ付けされるとき、前記ワイヤーは、同じ長さに被覆を取り去り、都合良くはんだ付け部（２５、３５）に沿ってはんだ付けされる。さらに、前記被覆を取り去ったワイヤーの長さは、送信を安定させ促進する前記プラグコネクターのインピーダンスを維持することと同一である高周波特性を送信するように、同じである。
【００３８】
隣接するはんだ付け部（３５）の間の間隔は、前記ワイヤーのはんだ付けを容易にするために拡大され、短絡を防止する。
【００３９】
第１端子（２０）は、実質的に同一の形状であり、１つの金型により製造される。
【００４０】
凹凸の係合部は、前記熱溶融性接着剤が第１の取付穴（１００ａ），第２の取付穴（１００ｂ）、第１の係合穴（４００ａ）および第２の係合穴（４００ｂ）にあふれ、送信特性に影響を及ぼすことを防止する。したがって、前記プラグコネクターは、送信のための安定したインピーダンスを有する。
【符号の説明】
【００４１】
１０          絶縁ハウジング
１１          上部
１２          第１のソケット穴
１３          取付溝
１４          底部
１５          前部
１６          後部
１７、４７    ２つの相対する側部
２０          複数の第１端子
２１、３１    取付部
２２、３３    接触部
２４          湾曲部
２５、３５    はんだ付け部
３０          複数の第２端子
３２          弾性部
３４          傾斜部
４０          位置決めブラケット
４１          上端部
４４          底部
４５          前端部
４６          後端部
４８          位置決め突出部
５０          前部金属殻
５７、６７    ２つの相対する側面板
６０          後部金属殻
１００ａ      第１の取付穴
１００ｂ      第２の取付穴
１０１、１０３、１０４、４０２、４０５  係合凹部
１０２、１０５、４０１、４０３、４０４  係合凸部
１１１        凹部
４００ａ      第１の締結穴
４００ｂ      第２の締結穴
４８２        第１の位置決めスロット
４８３        第２の位置決めスロット
５７０        バックル部
５７１        バックル穴
６７１        バックルタブ
【図１】
0003151310.tif 000003
【図２】
0003151310.tif 000004
【図３】
0003151310.tif 000005
【図４】
0003151310.tif 000006
【図５】
0003151310.tif 000007
【図６】
0003151310.tif 000008
【図７】
0003151310.tif 000009
【図８】
0003151310.tif 000010
【図９】
0003151310.tif 000011
【図１０】
0003151310.tif 000012
【図１１】
0003151310.tif 000013
【図１２】
0003151310.tif 000014